(57)【特許請求の範囲】
【請求項１】
ブロードキャストされている番組の中から選択された視聴番組のデータを受信し、該視聴番組を示す視聴情報を通知する端末装置と、
前記端末装置からの前記視聴情報を取得し、視聴している番組がブロードキャストされていないセルへ前記端末装置が移動することが予測されると、移動先のセルで該番組のブロードキャストを開始する基地局装置と、を有する無線通信システム。
【請求項２】
前記基地局装置は、自身のセルに番組のデータをブロードキャストするとともに、ブロードキャストしている番組を基地局間通知としてセル間で相互に通知し合っており、視聴している番組がブロードキャストされていないセルへの前記端末装置の移動を予測するのに前記視聴情報と前記基地局間通知とを用いる、請求項１に記載の無線通信システム。
【請求項３】
前記基地局装置は、自身がブロードキャストしている番組を視聴している端末装置が、該番組のブロードキャストされていないセルへ移動することを予測すると、移動先のセルを構成する基地局装置に該番組のブロードキャストの開始を促すための放送指示を送信し、自身が他の基地局装置から放送指示を受信すると該放送指示にて指示された番組のブロードキャストを開始する、請求項１または２に記載の無線通信システム。
【請求項４】
前記放送指示を受信した移動先の基地局装置は該放送指示で指示された前記番組のブロードキャストを開始するときに該番組に割り当てた無線チャネルを、前記放送指示を送信した移動元の基地局装置に通知し、前記移動元の基地局装置が該無線チャネルを示すチャネル情報を前記端末装置に送信する、請求項３に記載の無線通信システム。
【請求項５】
前記移動元の基地局装置は自身が前記番組をブロードキャストしている無線チャネルに前記チャネル情報を多重して送信する、請求項４に記載の無線通信システム。
【請求項６】
前記放送指示を送信する移動元の基地局装置は、該放送指示でブロードキャストの開始を促す番組の自身のセルでの無線チャネルを移動先の基地局装置に通知し、
前記移動先の基地局装置は、受信した該放送指示で指示された前記番組に、通知された前記無線チャネルと同じ無線チャネルを割り当てる、請求項３から５のいずれか１項に記載の無線通信システム。
【請求項７】
前記基地局装置は、自身がブロードキャストしており、隣接セルでブロードキャストされていない番組を視聴している端末装置を対象として移動予測を行う、請求項１から６のいずれか１項に記載の無線通信システム。
【請求項８】
前記番組のデータを前記基地局装置に送信する放送サーバを更に有する、請求項１から７のいずれか１項に記載の無線通信システム。
【請求項９】
ブロードキャストしている番組の中から端末装置が選択した視聴番組を示す視聴情報を取得する情報取得手段と、
前記端末装置が、前記視聴情報によって示される前記視聴番組のブロードキャストされていないセルへ移動することが予測されると、移動先のセルを構成する基地局装置に、該番組のブロードキャストの開始を促すための放送指示を送信する移動予測手段と、を有する基地局装置。
【請求項１０】
前記移動予測手段は、前記視聴情報と、ブロードキャストしている番組をセル間で相互に通知し合う基地局間通知とによって、前記視聴番組がブロードキャストされていないセルへの前記端末装置の移動を予測する、請求項９に記載の基地局装置。
【請求項１１】
他の基地局装置から放送指示を受信し、該放送指示にて指示された番組のブロードキャストの開始を決定する放送判断手段を更に有する、請求項９に記載の基地局装置。
【請求項１２】
前記放送指示で指示された前記番組のブロードキャストを開始するときに、該番組に割り当てた無線チャネルを、前記放送指示を送信した移動元の基地局装置に通知する、請求項１１に記載の基地局装置。
【請求項１３】
自身が前記放送指示を送った前記移動先の基地局装置から、前記番組に割り当てた無線チャネルの通知を受けると、該無線チャネルを示すチャネル情報を前記端末装置に送信する、請求項９に記載の基地局装置。
【請求項１４】
前記番組をブロードキャストしている無線チャネルに前記チャネル情報を多重して送信する、請求項１３に記載の基地局装置。
【請求項１５】
前記放送指示によって前記移動先の基地局装置にブロードキャストの開始を促す番組の自身のセルでの無線チャネルをも該移動先の基地局装置に通知する、請求項９に記載の基地局装置。
【請求項１６】
受信した前記放送指示で指示された前記番組に、前記放送指示を送信した移動元の基地局装置で該番組のブロードキャストに用いられている無線チャネルと同じ無線チャネルを割り当てる、請求項１１に記載の基地局装置。
【請求項１７】
自身がブロードキャストしており、隣接セルでブロードキャストされていない番組を視聴している端末装置を対象として移動予測を行う、請求項９に記載の基地局装置。
【請求項１８】
前記端末装置における電波の受信レベルが所定の閾値を下回っている端末装置を対象として移動予測を行う、請求項９に記載の基地局装置。
【請求項１９】
基地局装置からブロードキャストされている番組の中から選択された視聴番組のデータを受信する端末装置から該視聴番組を示す視聴情報を取得し、
前記視聴情報を基に、視聴している番組がブロードキャストされていないセルへ前記端末装置が移動することが予測されると、移動先のセルで該番組のブロードキャストを開始する、ブロードキャスト方法。
【発明の詳細な説明】
【技術分野】
【０００１】
本発明は、セルで通信エリアをカバーする無線通信システムにおいて各セルにデータをブロードキャストする通信技術に関する。
【背景技術】
【０００２】
無線基地局によって構成されるセルで通信エリアをカバーする無線通信システムでは、複数のセルを配置することによって広範囲の無線端末の通信を可能にする。例えばＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）では、フェムトセルと呼ばれる小規模のセルで通信エリアをカバーすることによって様々な場所での通信が可能となる。この種の無線通信システムにおいて、複数の無線端末に対して番組のデータをブロードキャストする通信形態がある（特許文献１、２参照）。
【０００３】
無線通信システムで使用可能な帯域内には複数の無線チャネルが定義されており、その中から番組のブロードキャストのための無線チャネルが選択される。選択された無線チャネルでは、無線基地局から番組のデータがブロードキャストされる。ユーザは、番組がブロードキャストされている無線チャネルのデータを無線端末で受信することにより番組を視聴することができる。
【０００４】
この種の放送を視聴するための無線端末として、家庭用ラジオあるいはテレビ等に代表されるような据え置き型端末と、持ち運びが可能な移動端末とが一般的である。また、番組の放送形態として、放送前に予め番組プログラムを公開しそれに従った時間に放送する形態の他に、緊急事態の報知あるいは現在放送中のプログラムが延長されたことによって一時的に番組プログラムを変更して行う形態がある。
【０００５】
ところで、無線通信システムでは無線資源は有限である。また、無線チャネルはポイントツーポイントの通話にも用いられるので、番組のブロードキャストに用いることのできる無線チャネルの数は更に制限される。その一方で全てのセルで全ての番組が視聴されるとは限らない。
【０００６】
視聴するユーザがいないセルに番組をブロードキャストすれば無線チャネルの無駄となるので、視聴するユーザのいない番組をブロードキャストしないようにセル毎に番組を選択することが考えられる。その場合、移動端末で番組を視聴しながらセル間を移動するユーザに対して番組の視聴を継続できるような配慮が求められる。
【０００７】
それに対して、特許文献３には、移動端末の予想される移動先にマルチキャストパケットを送信する技術が開示されている。また、特許文献４には、移動端末の移動を予測する技術が開示されている。
【特許文献１】特表２００５−５１６４７４号公報
【特許文献２】特開２００７−１７４６４５号公報
【特許文献３】特開２００３−２５８８９７号公報
【特許文献４】特開２００７−２１５２３８号公報
【発明の開示】
【発明が解決しようとする課題】
【０００８】
上述した、移動端末の予想される移動先に対して予めパケットの送信を開始する技術は、視聴者を特定した１対ｎのマルチキャスト通信を前提としている。しかし、不特定のユーザが番組を視聴することを想定したブロードキャスト通信では、基本的に移動端末がどの番組を視聴しているか把握できないため、移動端末の予測される移動先において予め番組のブロードキャストを開始しておくことは困難であった。
【０００９】
本発明の目的は、セルで通信エリアをカバーする無線通信システムによるブロードキャストにおいて、番組を視聴しながらセル間を移動するユーザに対して視聴を継続させる技術を提供することである。
【課題を解決するための手段】
【００１０】
上記目的を達成するために、本発明の無線通信システムは、
ブロードキャストされている番組の中から選択された視聴番組のデータを受信し、該視聴番組を示す視聴情報を通知する端末装置と、
前記端末装置からの前記視聴情報を取得し、視聴している番組がブロードキャストされていないセルへ前記端末装置が移動することが予測されると、移動先のセルで該番組のブロードキャストを開始する基地局装置と、を有している。
【００１１】
本発明のブロードキャスト方法は、
基地局装置からブロードキャストされている番組の中から選択された視聴番組のデータを受信する端末装置から該視聴番組を示す視聴情報を取得し、
前記視聴情報を基に、視聴している番組がブロードキャストされていないセルへ前記端末装置が移動することが予測されると、移動先のセルにおいて該番組のブロードキャストを開始するものである。
【発明の効果】
【００１２】
本発明によれば、端末装置から通知される視聴情報を基に、視聴している番組がブロードキャストされていないセルへの端末装置の移動が予測されると、移動先のセルにおいてブロードキャストを開始するので、番組を視聴しながらセル間を移動する端末装置において視聴を継続することができる。
【発明を実施するための最良の形態】
【００１３】
本発明を実施するための形態について図面を参照して詳細に説明する。
【００１４】
図１は、本発明の実施形態による無線通信システムの構成を示すブロック図である。図１を参照すると、無線通信システムは、放送サーバ１１、基地局装置１２、および端末装置１３を有している。
【００１５】
放送サーバ１１は、ブロードキャストする番組のデータをネットワーク１４経由で基地局装置１２に送信する。１つの放送サーバ１１が複数の番組のデータを送信してもよく、複数の放送サーバ１１が互いに異なる番組を放送してもよい。結果的に基地局装置１２には複数の番組のデータが送信される。
【００１６】
基地局装置１２は、それぞれセルを構成し、放送サーバ１１から受信した番組のデータを無線チャネルでブロードキャストする。ただし、全てのセルで全ての番組が視聴されるわけではなく、基地局装置１２は、端末装置１３における番組視聴の状況に応じて、放送する番組を選択する。そのために、端末装置１３からは、視聴されている番組の情報を含む視聴通知が基地局装置１２へ送信される。これにより、基地局装置１２は、端末装置１３にて視聴されている番組を把握することができる。ただし、全ての端末装置１３が視聴通知を送信するものでなくてもよい。視聴通知を送信する端末装置１３と、視聴通知を送信しない端末通知１３とを定義し、ユーザの差別化を図ってもよい。
【００１７】
基地局装置１２は、端末装置１３との通信の他に基地局装置１２同士の通信（Ｓ１）を行うことができ、隣接する基地局装置１２との間で、ブロードキャストしている番組の情報を含む基地局間通知を相互に送信し合っている。
【００１８】
図７は、基地局装置１２間で送受信される情報の一例を示す図である。図７を参照すると、情報Ｓ１には、互いに隣接する基地局装置１２（１）、基地局装置１２（２）、基地局装置１２（３）・・・の情報が含まれている。例えば、基地局装置１２（１）は、基地局装置１２（１）の情報を送信し、基地局装置１２（２）、１２（３）・・・の情報を受信する。これにより、各基地局装置１２は、隣接する基地局装置１２でブロードキャストされている番組を把握している。
【００１９】
また、基地局装置１２は、端末装置１３の位置を監視することにより、自身がブロードキャストした番組を視聴している端末装置１３の、その番組がブロードキャストされていない隣接セルへの移動を予測する。そして、基地局装置１２は、視聴している番組のブロードキャストされていない隣接セルへの移動端末１３の移動が予測されると、移動先の基地局装置１２に、その番組の放送開始を指示するための放送指示を送信する。
【００２０】
隣接する基地局装置１２から放送指示を受信すると、基地局装置１２は、その番組に割り当てることのできる無線チャネルが残っていれば、その放送指示によって指示された番組に無線チャネルを割り当ててブロードキャストを開始する。放送指示を受信した基地局装置１２において、放送指示を送信した基地局装置１２がその番組のブロードキャストに使っている無線チャネルと同じ無線チャネルが空きであれば、その無線チャネルを割り当てることにしてもよい。そうすると、端末装置１３は、セル間を移動するときに、無線チャネルを切り替えなくても同じ番組の視聴を継続させることができる。
【００２１】
図８は、基地局装置１２における無線チャネルの一構成例を示す図である。図８を参照すると、時間軸と周波数軸のそれぞれに分割され、マトリクス状に配置された複数の無線チャネルがある。ここでは一例として、番組のブロードキャストには特定の無線チャネル４０１だけが割り当て可能であるとする。番組のブロードキャストを開始するとき、基地局装置１２は、無線チャネル４０１の中から選択した無線チャネル４０２を番組に割り当てる。番組のデータが高スループットを必要とする場合には複数の無線チャネルを割り当ててもよい。
【００２２】
端末装置１３は、ユーザの操作に従って、基地局装置１２からブロードキャストされているいずれかの番組を選択し、その番組のデータを受信（視聴）する。そして、端末装置１３は、視聴している番組の情報を含む視聴通知を基地局装置１２に送信する。
【００２３】
また、端末装置１３は、番組を視聴している状態でセル間を移動するとき、移動元の基地局装置１２からブロードキャストされている番組のデータを受信する状態から、移動先の基地局装置１２からブロードキャストされている番組のデータを受信する状態になる。その際、移動元と移動先の基地局装置１２で同じ番組をブロードキャストしている無線チャネルが異なれば、端末装置１３は、受信する無線チャネルを切り替える処理を行う。
【００２４】
図２は、本実施形態による無線通信システムの動作を示すシーケンス図である。ここでは、２つの基地局装置１２（１），（２）と、３つの端末装置１３（ａ）〜（ｃ）とがある構成で説明する。図２を参照すると、放送サーバ１１から基地局装置１２（１），（２）に、ある番組のデータが送信されている（ステップ１０１）。放送サーバ１１から送信されている番組は、基地局装置１２（１）によってブロードキャストされているが、基地局装置１２（２）によってはブロードキャストされていない（ステップ１０２）。端末装置１３（ａ）〜（ｃ）は基地局装置１２（１）からブロードキャストされた番組のデータを受信しているものとする。
【００２５】
基地局装置１２（１）と基地局装置１２（２）は相互に基地局間通知を送受信し、互いに相手のブロードキャストしている番組を把握している（ステップ１０３）。
【００２６】
端末装置１３（ａ）〜（ｃ）のそれぞれは、基地局装置１２（１）に視聴通知を送信し、番組を視聴中である旨を基地局装置１２（１）に通知している（ステップ１０４〜１０６）。
【００２７】
各端末装置１３（ａ）〜（ｃ）から受信した視聴通知を元に、自身がブロードキャストした番組を視聴している端末装置１３（ａ）〜（ｃ）の、その番組がブロードキャストされていない隣接セルへの移動を予測する（ステップ１０７）。ここでは、番組を視聴している端末装置１３（ａ）の、その番組をブロードキャストしていない基地局装置１２（２）のセルへの移動が予測されるものとする。
【００２８】
端末装置１３（ａ）の基地局装置１２（２）のセルへの移動を予測すると、基地局装置１２（１）は、基地局装置１２（２）に放送指示を送信することにより、その番組の放送開始を促す（ステップ１０８）。
【００２９】
放送指示を受信した基地局装置１２（２）は、割り当てることのできる無線チャネルが残っていれば、指示された番組に無線チャネルを割り当ててブロードキャストを開始する（ステップ１０９）。
【００３０】
ここでは端末装置１３（ａ）は、基地局装置１２（１）による予測の通り、基地局装置１２（２）のセルに移動するものとする。基地局装置１２（２）のセルに移動すると、端末装置１３（ａ）は、基地局装置１２（１）からの番組のデータを受信する状態から、基地局装置１２（２）からの番組のデータを受信する状態になる（ステップ１１０）。
【００３１】
図３は、本実施形態の基地局装置１２の構成を示すブロック図である。図３を参照すると、基地局装置１２は、情報取得部２１、移動予測部２２、放送判断部２３、および無線チャネル割当部２４を有している。
【００３２】
情報取得部２１は、端末装置１３から視聴通知を受信し、各端末装置１３においてどの番組が視聴されているかという視聴情報を取得する。また、情報取得部２１は、端末装置１３の位置情報を取得する。例えば、端末装置１３がＧＰＳ（Ｇｌｏｂａｌ  Ｐｏｓｉｔｉｏｎｉｎｇ  Ｓｙｓｔｅｍ）で自身の位置情報を取得し、基地局装置１２に通知すればよい。
【００３３】
移動予測部２２は、隣接する他の基地局装置１２から基地局間通知を受信し、隣接する基地局装置１２においてどの番組がブロードキャストされているかという放送情報を取得する。そして、移動予測部２２は、その放送情報と、情報取得部２１で取得された視聴情報および位置情報とに基づいて、自装置がブロードキャストした番組を視聴している端末装置１３の、その番組がブロードキャストされていない隣接セルへの移動を予測する。自装置がブロードキャストした番組を視聴している端末装置１３が、その番組がブロードキャストされていない隣接セルへ移動することが予測されると、基地局装置１２は、移動先の基地局装置１２に、その番組の放送を指示する放送指示を送信する。
【００３４】
放送判断部２３は、隣接する基地局装置１２から放送指示を受信し、その放送指示によりブロードキャストを指示された番組のブロードキャストを開始するか否か判断する。例えば、その番組に割り当てることのできる無線チャネルが残っていれば、放送判定部２３は、その番組のブロードキャストを開始することを決定する。放送判定部２３により、放送を開始することが決定した番組は移動予測部２２に通知され、自装置からブロードキャストされている番組に追加される。
【００３５】
無線チャネル割当部２４は、放送判定部２３によって、放送することが決定された番組に無線チャネルを割り当て、データをブロードキャストする。
【００３６】
なお、情報取得部２１は、更に、各端末装置１３における受信レベルを示す受信レベル情報を取得することにしてもよい。そして、移動予測部２２は、端末装置１３の移動を予測するための処理に、その受信レベル情報を利用してもよい。例えば、受信レベルが低下傾向にある端末装置１３は、基地局装置１２から遠ざかる方向に移動している可能性が高い。その情報を移動予測に利用することができる。
【００３７】
また、隣接セルに移動する端末装置１３は、移動に伴って、隣接セルとの境界付近で受信レベルが所定の閾値以下となるので、受信レベルが閾値以下の端末装置１３だけを移動予測の対象とすることにしてもよい。それにより、移動予測の対象となる端末装置１３の数を制限することができるので、基地局装置１２の処理負荷を低減することができる。
【００３８】
移動予測部２２は、自装置のブロードキャストしている番組を視聴している端末装置１３だけを移動予測の対象としてもよい。さらに、移動予測部２２は、自装置がブロードキャストしており、隣接セルでブロードキャストされていない番組を視聴している端末装置１３だけを移動予測の対象としてもよい。これらにより、基地局装置１２の処理負荷が低減される。
【００３９】
図４は、基地局装置１２の動作例を示すフローチャートである。図４を参照すると、基地局装置１２は、まず端末装置１３から視聴通知を受信することにより、各端末装置１３においてどの番組が視聴されているかの視聴情報を取得する（ステップ２０１）。
【００４０】
次に、基地局装置１２は、移動予測の対象とする端末装置１３を選択する（ステップ２０２）。続いて、基地局装置１２は、端末装置１３の位置情報を取得すると（ステップ２０３）、自身がブロードキャストした番組を視聴している端末装置１３の、その番組がブロードキャストされていない隣接セルへの移動が予測されるか否か判定する（ステップ２０４）。
【００４１】
視聴している番組がブロードキャストされていない隣接セルへの移動が予測される端末装置１３がなければ、基地局装置１２は、ステップ２０３に戻って移動予測を継続する。視聴している番組がブロードキャストされていない隣接セルへの移動が予測される端末装置１３があれば、基地局装置１２は、その隣接セルの基地局装置１２に、放送指示を送信することにより、放送開始を指示する（ステップ２０５）。
【００４２】
図５は、端末装置１３の構成を示すブロック図である。図５を参照すると、端末装置１３は、操作部３１、チャネル選択部３２、受信部３３、および通知部３４を有している。
【００４３】
操作部３１は、ユーザによる操作を受け付ける。例えば、この操作には、放送の視聴を開始あるいは終了する操作、視聴する番組を選択する操作などが含まれる。
【００４４】
チャネル選択部３２は、操作部３１で受け付けられた操作内容に従って、視聴する番組と、その番組がブロードキャストされている無線チャネルを選択する。番組と無線チャネルとの対応関係は、例えば、基地局装置１２から予め通知されているものとすればよい。
【００４５】
受信部３３は、チャネル選択部３２で選択された無線チャネルの電波を受信し、番組のデータを取得する。
【００４６】
通知部３４は、チャネル選択部３２で選択された番組の情報を含む視聴通知を送信することにより、視聴中の番組を基地局装置１２に通知する。
【００４７】
以上説明したように、本実施形態では、端末装置１３から視聴している番組を基地局装置１２に通知し、通知を受信した基地局装置１２が、番組が視聴されている端末装置１３の移動を予測し、視聴している番組がブロードキャストされていないセルへの移動が予測されると、移動先の基地局装置１２からブロードキャストを開始する。すなわち、端末装置１３で視聴されている番組の情報を基にした移動予測で、視聴している番組がブロードキャストされていないセルへの端末装置１３の移動が予測されると、移動先のセルにおいてブロードキャストを開始するので、番組を視聴しながらセル間を移動する端末装置において視聴を継続することができる。
【００４８】
また、本実施形態によれば、基地局装置１２は、自装置のブロードキャストしている番組を視聴している端末装置１３だけを対象として移動の予測を行うので、処理負荷が低減される。
【００４９】
また、本実施形態によれば、基地局装置１２は、自装置がブロードキャストしており、隣接する基地局装置１２がブロードキャストしていない番組を視聴している端末装置１２だけを対象として移動の予測を行うので、さらに処理負荷が低減される。
【００５０】
なお、本実施形態では、新たに番組のブロードキャストを介した基地局装置１２において用いられた無線チャネルを、その番組が視聴されている端末装置１３に通知することにしてもよい。また、視聴している番組がブロードキャストされてないセルへの移動が予測され、予測された移動先の基地局装置１２からその番組のブロードキャストが開始された端末装置１３に対して、移動先の基地局装置１２で用いられた無線チャネルを通知することにしてもよい。そして、端末装置１３は、視聴中の番組に割り当てられている無線チャネルが異なるセル間を移動するとき、受信する無線チャネルの切り替えを行えばよい。
【００５１】
図６は、端末装置１３が移動するセル間で視聴中の番組に割り当てられる無線チャネルが異なるときの無線通信システムの動作を示すシーケンス図である。端末装置１３では、基地局装置１２（１）からブロードキャストされている番組が視聴されているものとする（ステップ３０１）。基地局装置１２（２）からは、その番組がブロードキャストされていないものとする。
【００５２】
基地局装置１２（１）は、端末装置１３を対象として移動予測を行う（ステップ３０２）。端末装置１３が基地局装置１２（２）のセルに移動することが予測されると、基地局装置１２（１）は、基地局装置１２（２）に対して放送指示を送信する（ステップ３０３）。
【００５３】
放送指示を受信した基地局装置１２（２）は、指示された番組に割り当てる無線チャネルを決定する（ステップ３０４）。ここでは決定された無線チャネルが基地局装置１２（１）で用いられている無線チャネルとは異なるものとする。
【００５４】
基地局装置１２（２）は、決定した無線チャネルを基地局装置１２（１）に通知し（ステップ３０５）、その無線チャネルを用いたブロードキャストを開始する（ステップ３０６）。
【００５５】
基地局装置１２（２）から無線チャネルの通知を受信した基地局装置１２（１）は、基地局装置１２（２）からブロードキャストが開始される無線チャネルをチャネル情報として端末装置１３に通知する（ステップ３０７）。その際に、この例では、基地局装置１２（１）は、チャネル情報を、番組をブロードキャストしている無線チャネルで番組のデータと多重して送信している。これにより、無線チャネルを有効利用するとともに、対象となる番組のデータを受信中（視聴中）の端末装置１３に確実にチャネル情報を知らせることができる。その際、基地局装置１２（１）は、基地局装置１２（１）のブロードキャストしている番組を視聴しており、基地局装置１２（２）に移動が予測された端末装置１３に宛ててチャネル情報を送信することにしてもよい。その場合、チャネル情報に、端末装置１３を特定する宛先情報を含めることにすればよい。
【００５６】
端末装置１３は、セル間を移動するとき、基地局装置１２（１）からの番組のデータを受信する状態から、基地局装置１２（２）からの番組のデータを受信する状態に移行する（ステップ３０８）。
【００５７】
また、本実施形態では、放送サーバ１１から全ての基地局装置１２に全ての番組のデータをマルチキャストしておき、いずれの番組を無線チャネルでブロードキャストするかを各基地局装置１２において制御する例を示した。この構成によれば、新たな番組のブロードキャストを開始するときに、放送サーバ１１と基地局装置１２との間に新たなセッションを確立するための処理、あるいはマルチキャストセッションに新たな基地局装置１２を追加する処理が不要なので、ブロードキャストを迅速に開始することができる。
【００５８】
しかし、本発明は、この例に限定されるものではない。他の例として、放送サーバ１１から各基地局装置１２へは、その基地局装置１２において無線チャネルでブロードキャストする番組のデータだけを送信することにしてもよい。その場合、新たな番組のブロードキャストを開始するときに、放送サーバ１１と基地局装置１２との間に新たなセッションを確立するための処理、あるいはマルチキャストセッションに新たな基地局装置１２を追加する処理が行われる。これによれば、ネットワーク１４上のトラフィックを低減することができる。
【００５９】
以上、本発明の実施形態について述べてきたが、本発明は、上述した実施形態だけに限定されるものではなく、本発明の技術思想の範囲内において、実施形態を組み合わせて使用したり、一部の構成を変更したりしてもよい。
【図面の簡単な説明】
【００６０】
【図１】本実施形態による無線通信システムの構成を示すブロック図である。
【図２】本実施形態による無線通信システムの動作を示すシーケンス図である。
【図３】本実施形態の基地局装置１２の構成を示すブロック図である。
【図４】基地局装置１２の動作例を示すフローチャートである。
【図５】端末装置１３の構成を示すブロック図である。
【図６】視聴中の番組に割り当てられている無線チャネルが異なるセル間を端末装置１３が移動するときの無線通信システムの動作を示すシーケンス図である。
【図７】基地局装置１２間で送受信される情報の一例を示す図である。
【図８】基地局装置１２における無線チャネルの一構成例を示す図である。
【符号の説明】
【００６１】
１１    放送サーバ
１２    基地局装置
１３    端末装置
２１    情報取得部
２２    移動予測部
２３    放送判断部
２４    無線チャネル割当部
３１    操作部
３２    チャネル選択部
３３    受信部
３４    通知部
【図１】
0004562009.tif 000002
【図２】
0004562009.tif 000003
【図３】
0004562009.tif 000004
【図４】
0004562009.tif 000005
【図５】
0004562009.tif 000006
【図６】
0004562009.tif 000007
【図７】
0004562009.tif 000008
【図８】
0004562009.tif 000009